(57)【要約】      （修正有）【課題】スマートフォーン、携帯電話、ＷＥＢカメラ、ドライブレコーダー等の車載用カメラに簡便に取り付けられ、反射光による良好な撮影の妨害や映り込みを防止する偏光フィルターシートを安価に提供する。【解決手段】偏光板の透過軸が目視で容易に把握できるよう縦方向と横方向の長さもしくは形状を変えるともに、透過軸の方向は縦方向か横方向に平行になっている偏光フィルム３の一方の面に粘着シートを接着層を介して貼付し、カメラの表面に固定する。【選択図】図１
0003205960.tif 000002
【実用新案登録請求の範囲】
【請求項１】
偏光板の透過軸方向と吸収軸方向の長さもしくは形状が異なり、透過軸方向と吸収軸方向が目視により認識可能な形状を有する偏光板からなるシートであって、片方の面に粘着層が接着層を介して貼付されている偏光フィルターシート。
【考案の詳細な説明】
【技術分野】
【０００１】
本考案は携帯電話・スマートフォーン等に付随するカメラ及びWebカメラ等小型カメラ用の、偏光フィルターに関するものである。さらに詳しくは、小型カメラに簡便に脱着することができ、また偏光フィルターとして操作性に優れかつ安価に提供することが可能な偏光フィルターに関するものである。
【背景技術】
【０００２】
偏光フィルターとは、撮影する対象もしくはその周辺に発生する反射光がカメラのレンズに入ることを防止するフィルターをいう。従来の例えば１眼レフのカメラのようなカメラ用途には、レンズに着脱可能なように、レンズ部に取り付けることのできる金具等を偏光板に取り付けることでレンズに装着可能な構造としていた。
【０００３】
しかしながら、携帯電話やスマートフォーンに付随したカメラでは、レンズが平面内部に埋め込まれており、上記の如き金具で固定することは不可能となっている。このため、現在上記と同様の構造の偏光フィルターをクランプ構造等でスマートフォーン等に取り付ける構造を有する商品が販売されている。これらの商品は十分反射光・写りこみを防止することができる。
しかしながら、これらの商品は脱着のための機構してクランプ構造等を含むため、相当な程度にかさばる構造となる。このため、本来携帯に便利な、携帯電話・スマートフォーンの構造を逸脱し本来の利便性が失われる。また価格も高価なものとなっている。このため現状では、戸外、屋内を問わず反射光の防止、写りこみの防止の要請は高いが、偏光フィルターの普及は限られている。またWebカメラ等の小型カメラについても同様の理由で偏光フィルターの利用が進んでいない。
【０００４】
特許文献１は電子カメラのレンズ面に、複数の光学部品取り付け用のアタッチメントホルダを有する回転台を磁石により着脱する機構に関するものである。  非特許文献１には当該考案に関連する現象に関する詳細な記述がある。
【先行技術文献】
【特許文献】
【０００５】
【特許文献１】特開2004-309988
【非特許文献】
【０００６】
【非特許文献１】E. Hecht, Optics, 2nd edition, p298 (1989)
【考案の概要】
【考案が解決しようとする課題】
【０００７】
本考案は上記の如き状況を改善し、携帯電話やスマートフォーンの携帯利便性を失うことなく、かつ十分な写りこみ防止、反射光防止機能を携帯電話・スマートフォーン及びWebカメラ等小型カメラ等に提供することを目的とする。
【課題を解決するための手段】
【０００８】
本考案はスマートフォーンやWebカメラ等小型カメラ対して着脱が容易な偏光フィルターを提供するためのものである。
【０００９】
偏光フィルターの原理は、光が物体表面で反射する場合、物体表面に対して垂直に反射する場合を０度とすると、６０度付近では物体表面に対して平行に振動する偏光成分のみが反射され、垂直に振動する光は吸収される。この６０度付近の角度をブルスター角という。
【００１０】
反射光には上記の特徴があるため、反射光（写りこみ）を防止するためには、対象となる物体の表面に対して平行に振動する光をカットし表面に垂直に振動する偏光のみを撮影に用いることが有効である。そのためには、平面に対して垂直方向の透過軸を持つ偏光板をカメラに取り付ければいい。また、場合によっては表面からの反射を目立たせることにより、写真の効果を上げることが可能な場合もある。その場合は透過軸方向を該当する表面に平行になるように貼付することが有効である。
【００１１】
ここで偏光とは１方向にのみ振動する光をいう。偏光板とは、１方向に振動する光のみを透過させる光学フィルムである。偏光板を透過できる偏光の振動方向を透過軸と呼ぶ。またそれに垂直でその方向に振動する偏光を吸収する方向を吸収軸と呼ぶ。
【００１２】
このような原理から写りこみ防止のために偏光フィルターが用いられている。従来の一眼レフ等のカメラの偏光フィルターはレンズの前方部分に配置され偏光軸が回転可能なものであった。そのため、偏光板を金属製の円形の枠でレンズの前に固定し、偏光板の回転が可能な構造となっていた。
【００１３】
スマートフォーンやWebカメラ等の小型カメラ用途にもやはり偏光板をプラッチック等の枠で固定しそれをスマートフォーンやWebカメラ等の小型カメラに固定する構造が採用されており、そのためにスマートフォーンやWebカメラ等の小型カメラ本来の携帯性が著しく損なわれていた。
【００１４】
本考案者はスマートフォーン等やWebカメラ等の小型カメラの携帯利便性を損なうことなく、かつ安価に映り込み防止機能を実現する方法を検討し、本考案の方法によりこれらの目的が達成しえることを見出した。本考案は偏光板の透過軸方向と吸収軸方向の形状が異なり、透過軸方向と吸収軸が目視により認識可能な形状を有する偏光板からなるシートであって片方の面に接着層を介して貼付されている偏光フィルムシートに係るものである。
【考案の効果】
【００１５】
本考案によりスマートフォーン等やWebカメラ等の小型カメラに容易・安価に偏光板を貼付することが可能になる。本考案により、スマートフォーン等やWebカメラ等の小型カメラに対しても携帯利便性を損なうことなく、安価に映り込みを防止等をすることができる。
【図面の簡単な説明】
【００１６】
【図１】本考案のフィルムをスマートフォーンに付けた時の一例を示す正面図である。
【図２】本考案のフィルムの構成の一例を示す正面図である。
【図３】本考案のフィルムの構成の一例を示す側面図である。
【図４】本考案のフィルムを付けずに撮影した風景の写真である。
【図５】偏光板の透過軸が垂直方向になるように本考案のフィルムを付けて撮影した風景の写真である。
【図６】偏光板の透過軸が水平方向になるように本考案のフィルムを付けて撮影した風景の写真である。
【考案を実施するための形態】
【００１７】
以下本発明の具体的な実施形態について図面を参照しながら説明する。図１は本考案の応用例の一例であり本考案の偏光フィルターシートをスマートフォーンのカメラに適用した時の正面図である。図２は本考案の偏光フィルターの一例の正面図である。図３はその側面図である。
【００１８】
本考案はスマートフォーンやWebカメラ等の小型カメラ等の、偏光フィルターに関するものであり、さらに詳しくは、小型カメラに簡便に脱着することができ、また偏光フィルターとして操作性に優れかつ安価に提供することが可能な偏光フィルターに関するものである。
【００１９】
本考案の偏光フィルターは、長方形・楕円形その他の上記透過軸の方向がその形状から容易に判別できる形状をしており、フィルムの１つの面に脱着可能な粘着シートの接着部材を介することによって貼付したものである。
【００２０】
偏光フィルターは通常偏光板の透過軸を被写体の平面に対して平行な方向に固定して撮影することが多い。平面の角度によって水平方向の場合も、垂直方向の場合も、その中間の角度の場合もある。例えば水面を取る場合は透過軸は垂直方向が好ましいが、窓の写りこみを防止する場合は水平方向が好ましい。そのため、現在市販の偏光フィルターは偏光板が回転するようになっている。
【００２１】
本発明では脱着を容易にすることによって最適の角度に設定しやすくしている。そのために、偏光板を脱着可能な粘着フィルムを接着層を介して固定している。このためフィルムは脱着可能であるので、被写体と光の方向の関係で最適な方向に偏光板の透過軸の方向の調整が可能である。
【００２２】
偏光フィルムは撮影の環境によっては外しておいた方がいい場合も多い、その場合はカメラから外して携帯電話・スマートフォーンの他の場所に貼付することもできる。
【００２３】
上記のように偏光フィルムは被写体の平面に対して透過軸を平行にして撮影することで、反射光をカットし写りこみを防止に使用する場合が多い。このため、当該偏光フィルムフィルターは容易に透過軸の方向が判る形状がよい。そのため、円形や正方形ではなく、楕円形や長方形が好ましい。またそのような形状でなくとも、何らかの形状により透過軸の方向が目視できればよい。
【００２４】
当該偏光フィルターはカメラのレンズの上に来る部分が指で触ることで汚れた場合像がぼやける等の現象が起こる。このため着脱時等にその部分ができるだけ指で触れないような形状にすることが好ましい。
【実施例】
【００２５】
以下本考案の実施例を説明するが、本考案の範囲はこれらの実施例に限定されるものではない。
【００２６】
[実施例１]
偏光板を図２に示す形状に切断する。図２の符号７の方向は偏光板の偏光の透過軸の方向である。図２の偏光板の符号６のように幅0.5 mm 厚み0.1mmの透明性両面テープ（（株）ニトムズ製T284（製品名））を介して、厚み0.25 mmの粘着シート（スリーエムジャパン（株）製KRS-15（商品名））を配置した。図３は側面図を示す。
【００２７】
粘着シートはスマートフォーン等もしくはWebカメラ等の小型カメラの表面にその粘着力によって容易に接着させることが可能となる。この接着力は日常生活には十分な接着力であり、図１のようにカメラ部分に貼付しておくかスマートフォーンの筐体の一部に貼付しておけば通常の使用によっては剥がれて失われることはない。
【００２８】
上記の構造のような一方の辺を他方の辺に対して長くしておくか縦方向と横方向の形状を変えることにより偏光軸の方向を認識することが可能になる。反射光は進行方向に垂直で光が反射する平面に平行な方向に振動する偏光成分が多くなる。本考案のシートは被写体もしくは被写体周辺の物体からの反射光がカメラのレンズに入ることを防止するものであるので、通常は偏光軸の方向が水平になっていることが有効であることが多い。
【００２９】
しかし、例えば戸外から窓ガラスを通して室内の風景を取る場合などは、窓ガラスからの反射光をカットすることが有効となるため偏光の透過軸を垂直方向にすることが有効になる。また、被写体の角度によっては水平・垂直以外の方向が有効となることもある。
【００３０】
本考案のフィルムは着脱が容易にできるため透過させる偏光の振動方向を容易に選択することができる。またこれまでクランプ等でスマートフォーンに固定させる同目的の製品のようにかさばることがないのでフィルムを付けたまま通常のスマートフォーンとして用いることができる。またクランプ等でスマートフォーン等に固定させる同時の製品に対して安価に作製することが可能になる。
【００３１】
図５は比較例記載の図４と同時刻で同じ場所の写真を撮ったものである。水中の様子をよく観察することができる。
【００３２】
[実施例２]
偏光フィルターは通常反射光を吸収し映像から反射光の影響を取り除くために用いられるが、例えば「逆さ富士」など反射した像をより鮮明に撮影することが好ましい場合がある。その場合は反射光の偏光の振動方向と偏光フィルターの透過軸の方向を平行になるようにフィルムを貼付すればいい。図６は図４、図５と同時刻で同じ景色を本考案のフィルムの偏光の透過軸を水平になるように貼付し撮影したものである。水中の様子は見えず水面に反射した空の風景のみが観察される。
【００３３】
[比較例]
図４は実施例１，２に記載したものと同じ時刻で同じ景色をフィルムを付けることなく撮影した写真である。水面に映った空の様子と水中の様子が同時に写りいずれも十分に認識できない写真となっている。
【産業上の利用可能性】
【００３４】
スマートフォーン、携帯電話、Webカメラ、車載用モニターカメラ等のカメラに利用可能である。これらのカメラで映り込みを防止したい場合、反射光を防止したい場合特に有効である。また逆に表面の反射を特に強調したい場合にも有効である。
【符号の説明】
【００３５】
１．  スマートフォン
２．  スマートフォンのカメラ部分
３．  偏光フィルム
４．  接着層及び粘着層
５．  偏光フィルム
６．  接着層及び粘着層
７．  偏光フィルムの透過軸方向
８．  偏光フィルム
９．  粘着層
１０． 接着層
11.  透過軸の方向
12.  透過軸の方向
【図１】
0003205960.tif 000003
【図２】
0003205960.tif 000004
【図３】
0003205960.tif 000005
【図４】
0003205960.tif 000006
【図５】
0003205960.tif 000007
【図６】
0003205960.tif 000008